【手続補正書】
【提出日】平成22年12月12日(2010.12.12)
【手続補正１】
【補正対象書類名】特許請求の範囲
【補正対象項目名】全文
【補正方法】変更
【補正の内容】
【特許請求の範囲】
【請求項１】
汎用のコンピュータとインターネットを用い、ハイパーテキスト転送プロトコルに基づいて通信を行うＷｅｂサーバ・クライアント・システム上でＷｅｂブラウザのみで販売時点情報管理が実現されるＷｅｂ−ＰＯＳシステムにおいて、
Ｗｅｂ−ＰＯＳクライアント装置にて、Ｗｅｂ−ＰＯＳサーバ装置のＵＲＬを指定してＷｅｂブラウザを起動することにより、少なくとも、
１）上記Ｗｅｂ−ＰＯＳクライアント装置から上記Ｗｅｂ−ＰＯＳサーバ装置に対してカテゴリーリスト表示制御クライアント・プログラムのダウンロードを要求するＨＴＴＰメッセージ、あるいは、ＰＬＵリスト表示制御サーバ・プログラムの実行を指示するＨＴＴＰメッセージが送信される過程、
２）該要求、あるいは、該指示に基づき、それぞれ、上記Ｗｅｂ−ＰＯＳサーバ装置において、該カテゴリーリスト表示制御クライアント・プログラムが読み出され、あるいは、該ＰＬＵリスト表示制御サーバ・プログラムが実行され上記Ｗｅｂ−ＰＯＳサーバ装置に設けられたＰＬＵマスタＤＢ内のレコード情報から抽出されたＰＬＵリストを含むＰＬＵリスト表示制御クライアント・プログラムが生成される過程、
３）該読み出されたカテゴリーリスト表示制御クライアント・プログラム、あるいは、該生成されたＰＬＵリスト表示制御クライアント・プログラムが、それぞれ、上記Ｗｅｂ−ＰＯＳサーバ装置から上記Ｗｅｂ−ＰＯＳクライアント装置に送信（ダウンロード）されると、該Ｗｅｂ−ＰＯＳクライアント装置のタッチパネル、キーボード、マウス、電子ペン、またはスキャナ装置からなる入力手段を有する表示装置において、該カテゴリーリスト表示制御クライアント・プログラムに基づく商品カテゴリー、あるいは、該ＰＬＵリスト表示制御クライアント・プログラムに基づくＰＬＵリストが表示される過程、
を有し、
上記ＰＬＵリストが、ユーザが上記表示装置の入力手段により商品カテゴリーを入力（変更）するごとに、上記ＰＬＵマスタＤＢ内の該入力（変更）された商品カテゴリーに対応するレコード情報から抽出されるＰＬＵリストであって、
ユーザが上記表示装置の入力手段により、上記ＰＬＵリストから商品を特定するための商品識別情報を入力（選択）すると、該ＰＬＵリストから該入力（選択）の商品識別情報に対応する商品基礎情報のレコードが取得される過程と、
該取得された商品基礎情報と該入力（選択）の商品識別情報に基づいて出力される注文商品明細情報が該表示装置に表示される過程をさらに有し、
上記商品基礎情報が、上記Ｗｅｂ−ＰＯＳサーバ装置に設けられた上記ＰＬＵマスタＤＢにおいて記録され管理されると共に、
上記Ｗｅｂ−ＰＯＳクライアントの入力手段を有する表示装置において、ユーザが上記商品識別情報を入力（選択）するごとに、該入力（選択）ごとの商品識別情報に対応する上記商品基礎情報に基づく注文商品のレコードが取得され、該入力（選択）ごとの商品識別情報と該取得された商品基礎情報に基づく上記注文商品明細情報が出力（表示）される注文商品選択表示過程と、上記Ｗｅｂ−ＰＯＳクライアントの入力手段を有する表示装置において、該出力された注文商品明細情報に基づく注文商品ごとの注文明細が表示され、ユーザが該表示の注文を確定、あるいは、ユーザが該表示の注文商品ごとに注文数を入力して注文を確定する注文商品明細フォーム表示過程を経て、該注文商品ごとの注文商品明細情報が上記Ｗｅｂ−ＰＯＳクライアント装置から上記Ｗｅｂ−ＰＯＳサーバ装置に送信されることで、該ユーザにより入力（選択）された商品識別情報ごとの注文商品に関する販売時点情報が管理されることを特徴とするＷｅｂ−ＰＯＳネットワーク・システムの制御方法。
【請求項２】
前記Ｗｅｂ−ＰＯＳサーバ装置に設けられるＰＬＵマスタＤＢの前記商品基礎情報が、ＨＴＴＰプロトコルまたは電子メールにより、商品供給元から受信され該ＰＬＵマスタＤＢに登録されると共に、該登録の商品が前記商品識別情報に基づき管理されること、また前記注文商品明細情報に基づく売上情報が、ＨＴＴＰプロトコルまたは電子メールにより、該注文商品明細情報に基づく注文商品の商品供給元に送信されることを特徴とする、前記請求項１に記載のＷｅｂ−ＰＯＳネットワーク・システムの制御方法。
【請求項３】
前記Ｗｅｂ−ＰＯＳサーバ装置が、前記ＰＬＵマスタＤＢと売上管理ＤＢを備え、前記Ｗｅｂ−ＰＯＳクライアント装置において出力された前記注文商品明細情報を受信すると、該受信した注文商品明細情報に基づき注文商品ごとの売上（注文）レコードを生成して該売上管理ＤＢに登録することで受注または売上管理を行うＷｅｂ−ＰＯＳサーバ装置であって、該受信した注文商品明細情報に基づく注文商品ごとの売上（注文）レコードには、該発注または売上に関する売上種別情報が格納されることにより、該発注または売上が行われた所在や種別が把握されることを特徴とする、前記請求項２に記載のＷｅｂ−ＰＯＳネットワーク・システムの制御方法。
【請求項４】
汎用のコンピュータとインターネットを用い、ハイパーテキスト転送プロトコルに基づいて通信を行うＷｅｂサーバ・クライアント・システム上でＷｅｂブラウザのみで販売時点情報管理が実現されるＷｅｂ−ＰＯＳシステムにおいて、
Ｗｅｂ−ＰＯＳクライアント装置にて、Ｗｅｂ−ＰＯＳサーバ装置のＵＲＬを指定してＷｅｂブラウザを起動することにより、少なくとも、
１）上記Ｗｅｂ−ＰＯＳクライアント装置から上記Ｗｅｂ−ＰＯＳサーバ装置に対してカテゴリーリスト表示制御クライアント・プログラムのダウンロードを要求するＨＴＴＰメッセージ、あるいは、ＰＬＵリスト表示制御サーバ・プログラムの実行を指示するＨＴＴＰメッセージが送信される過程、
２）該要求、あるいは、該指示に基づき、それぞれ、上記Ｗｅｂ−ＰＯＳサーバ装置において、該カテゴリーリスト表示制御クライアント・プログラムが読み出され、あるいは、該ＰＬＵリスト表示制御サーバ・プログラムが実行され上記Ｗｅｂ−ＰＯＳサーバ装置に設けられたＰＬＵマスタＤＢ内のレコード情報から抽出されたＰＬＵリストを含むＰＬＵリスト表示制御クライアント・プログラムが生成される過程、
３）該読み出されたカテゴリーリスト表示制御クライアント・プログラム、あるいは、該生成されたＰＬＵリスト表示制御クライアント・プログラムが、それぞれ、上記Ｗｅｂ−ＰＯＳサーバ装置から上記Ｗｅｂ−ＰＯＳクライアント装置に送信（ダウンロード）されると、該Ｗｅｂ−ＰＯＳクライアント装置のタッチパネル、キーボード、マウス、電子ペン、またはスキャナ装置からなる入力手段を有する表示装置において、該カテゴリーリスト表示制御クライアント・プログラムに基づく商品カテゴリー、あるいは、該ＰＬＵリスト表示制御クライアント・プログラムに基づくＰＬＵリストが表示される過程、
を有し、
上記ＰＬＵリストが、ユーザが上記表示装置の入力手段により商品カテゴリーを入力（変更）するごとに、上記ＰＬＵマスタＤＢ内の該入力（変更）された商品カテゴリーに対応するレコード情報から抽出されるＰＬＵリストであって、
ユーザが上記表示装置の入力手段により、上記ＰＬＵリストから商品を特定するための商品識別情報を入力（選択）すると、該ＰＬＵリストから該入力（選択）の商品識別情報に対応する商品基礎情報のレコードが取得される過程と、
該取得された商品基礎情報と該入力（選択）の商品識別情報に基づいて出力される注文商品明細情報が該表示装置に表示される過程をさらに有し、
上記Ｗｅｂ−ＰＯＳクライアントの入力手段を有する表示装置が、上記商品カテゴリーに対応するレコード情報に基づくＰＬＵリストを表示すると共に、ユーザに対し、該ＰＬＵリストから注文商品を特定する商品識別情報の入力（選択）を要求する商品選択フォームと、該入力（選択）された商品識別情報に対応して該ＰＬＵリストから取得された商品基礎情報に基づき出力される注文商品の情報が表示されると共に、ユーザに対し、該注文商品の情報に基づく注文商品明細情報を記入するため入力する注文数量及び（または）注文確認を要求する販売時点情報フォームを順次または同時に表示する構成であることを特徴とする、前記請求項１〜３の内、いずれか１項に記載のＷｅｂ−ＰＯＳネットワーク・システムの制御方法に用いられるＷｅｂ−ＰＯＳクライアント装置。